(57)【要約】【課題】オプションユニットを装着可能な携帯通信端末において、使いやすいユーザインタフェースを提供すること。【解決手段】携帯通信端末において、筐体に、筐体前面に設けられた表示装置６、筐体前面に設けられ、ユーザから入力を受け付ける操作部Ａを備えたものである。ここで、オプションユニット３を装着する装着部４を表示装置６と操作部Ａとの間、かつ、筐体前面に設けたため、ユーザが携帯通信端末を保持しながら操作する際、使用しやすいインタフェースを提供することができる。【選択図】　　　　　図２
2004112392.tif 000002
【特許請求の範囲】
【請求項１】
筐体前面に設けられた表示装置、
前記筐体前面に設けられ、ユーザから入力を受け付ける操作部、及び
前記表示装置と前記操作部との間、かつ、前記筐体前面にオプションユニットを装着可能に設けられた装着部、
を有する筐体を備えた携帯通信端末。
【請求項２】
前記筐体はヒンジを軸に開閉自在に折り畳める折り畳み式の筐体であって、
前記装着部は、前記ヒンジ近傍であって、前記筐体を閉じても開いても見える位置に前記オプションユニットを保持することを特徴とする請求項１に記載の携帯通信端末。
【請求項３】
前記装着部は前記ヒンジの軸線上を跨ぎ、ヒンジの軸線に沿った投射領域外にはみ出すように、前記オプションユニットを保持することを特徴とする請求項２に記載の携帯通信端末。
【請求項４】
前記筐体は前記装着部に対応して前記筐体前面から筐体背面に貫通する切り欠き部を備え、前記装着部は、前記切り欠き部の両端に配置され前記ヒンジを有するアーム部を複数備えることを特徴とする請求項２又は３に記載の携帯通信端末。
【請求項５】
前記オプションユニットとして、ＧＰＳ受信機を備えることを特徴とする請求項１〜４のいずれかに記載の携帯通信端末。
【請求項６】
前記オプションユニットとして、スピーカを備えることを特徴とする請求項１〜５のいずれかに記載の携帯通信端末。
【請求項７】
複数の機能が選択的に割り付けられるファンクションキーと、
前記装着部に前記オプションユニットが装着された場合に、前記オプションユニットの種類に基づいて、前記ファンクションキーの機能割り当てを自動的に変更する制御装置を備えることを特徴とする請求項１〜６のいずれかに記載の携帯通信端末。
【請求項８】
前記表示装置は、前記ファンクションキーに対応してアイコンを表示し、
前記制御装置は、前記オプションユニットの種別に基づいて、複数のアイコンからファンクションキーに対応するアイコンを選択し、前記表示装置に表示することを特徴とする請求項１〜６のいずれかに記載の携帯通信端末。
【請求項９】
前記表示装置は、選択肢を有するメニューを表示し、
前記装着部に前記オプションユニットが装着された場合に、前記オプションユニットの種類に基づいて、前記メニューの選択肢を前記オプションユニットの種別に対応した選択肢に変更し、前記表示装置上に表示する制御装置を備えることを特徴とする請求項１〜６のいずれかに記載の携帯通信端末。
【請求項１０】
オプションユニットの接続を検出するステップと、
前記オプションユニットの種別を検出するステップと、
複数の機能が選択的に割り当てられるファンクションキーの割り当てを、検出された前記種別に基づいて変更するステップと、
前記ファンクションキーに入力があった場合に、前記種別に対応したプログラムを実行し実行結果を表示するステップと、
を備えたキーの機能割り当て方法をコンピュータに実行させるプログラム。
【請求項１１】
接続されたオプションユニットの種別を検出するステップと、
検出された前記種別に基づいて、複数の機能が選択的に割り当てられるファンクションキーの割り当てを変更するステップと、
検出された前記種別に従って、前記ファンクションキーに対応したアイコンを前記オプションユニットに対応したアイコンに変更するステップと、
を備えたキーの機能割り当て方法をコンピュータに実行させるプログラム。
【請求項１２】
接続されたオプションユニットの種別を検出する検出ステップと、
オプションユニットが他のオプションユニットに入れ替わった場合に、前記検出ステップで検出された種別に基づいて、メニューの選択肢を前記他のオプションユニットに対応した選択肢に書き換えて表示装置上に表示するステップと、
書き換えられた選択肢が前記メニューから選択された場合に、複数の機能から前記他のオプションユニットに対応した機能を選択的に実行するステップと、
を備えたキーの機能割り当て方法をコンピュータに実行させるプログラム。
【請求項１３】
オプションユニットと接続される接続装置と、複数の機能が選択的に割り当てられるファンクションキーと、前記ファクションキーに対応したアイコンを表示する第１の表示装置とを備えた携帯携帯通信端末のキー割り当て方法をコンピュータに実行させるプログラムであって、
接続されたオプションユニットの種別を検出する検出ステップと、
オプションユニットが他のオプションユニットに入れ替わった場合に、前記検出ステップの検出結果に基づき、オプションユニットが第２の表示装置である場合には、前記アイコンの表示位置を前記第１の表示装置から前記第２の表示装置に変更するステップと、
を備えたキーの機能割り当て方法をコンピュータに実行させるプログラム。
【発明の詳細な説明】
【０００１】
【発明の属する技術分野】
この発明は、無線通信等の通信回線を介して通信する携帯通信端末及びそのプログラムに関する。
【０００２】
【従来の技術】
従来、携帯電話に様々な機能を搭載した技術としては以下のようなものがある。
特許文献１には、筐体内部に撮像素子を内蔵し、筐体背面から筐体内に指を挿入することで指紋の読み取りをする携帯電話等の携帯情報端末が開示されている。
また、特許文献２には、筐体下部にフリップを設け、そのフリップに液晶表示装置を設けた携帯電話が開示されている。
また、特許文献３には、同じく筐体下部のフリップにハンズフリー用スピーカを備えたもの、特許文献４には、フリップにタブレットを設けた携帯電話が開示されている。
【０００３】
また、携帯電話にオプション機能を取り付けた技術として、特許文献５には、脱着式画像撮影アダプタを筐体下部に接続するもの、特許文献６には、筐体下端部にインターフェースコネクタを接続可能に設けた携帯電話が記載されている。
【０００４】
【特許文献１】
特開２００１−１３４７４４号公報
【特許文献２】
特開２００１−２５７７５０号公報
【特許文献３】
特開２０００−３１６０４０号公報
【特許文献４】
特開平１１−３４１１１４号公報
【特許文献５】
特開２０００−６９１８０号公報
【特許文献６】
特開平１０−２４３４４２号公報
【０００５】
【発明が解決しようとする課題】
上述のような従来の携帯電話では、数字キー等の通話機能にかかる操作部を常に優先し、最も操作が行いやすい位置に配置するとともに、他の機能に対しては、例えば、設計上、オプションの接続が行いやすい筐体下部に各種機能を設けていた。そのため、片手でオプション機能を操作する際やオプション機能を見ながら操作する際には、図２２に示すように筐体を持つ手にオプション機能部１００が隠れてしまい操作しずらいという問題があった。
この発明は、かかる問題点を解決するためになされたもので、オプション機能を有するユニットを接続した際に、ユーザに対して使いやすいインターフェースを提供する携帯通信端末を得ることを目的とする。
【０００６】
【課題を解決するための手段】
この発明にかかる携帯通信端末は、前記筐体前面に設けられ、ユーザから入力を受け付ける操作部、及び、前記表示装置と前記操作部との間、かつ、前記筐体前面にオプションユニットを装着可能に設けられた装着部、を有する筐体を備えたものである。
【０００７】
また、この発明にかかるキーの機能割り当て方法をコンピュータに実行させるプログラムにおいては、オプションユニットの接続を検出するステップと、前記オプションユニットの種別を検出するステップと、検出された前記種別に基づいて、複数の機能が選択的に割り当てられるファンクションキーの割り当てを変更するステップと、前記ファンクションキーに入力があった場合に、前記種別に対応したプログラムを実行し実行結果を表示するステップと、を備えたものである。
【０００８】
【発明の実施の形態】
実施の形態１．
＊ハードウェア構成
以下にこの実施の形態のハードウェア構成を説明する。
図１及び図２は、携帯通信端末の一例として携帯電話機を示している。二つ折り携帯電話機の下部筐体１ｂは、携帯電話機の上部筐体１ａとヒンジ２により接続され、上部及び下部筐体１ａ〜ｂは、ヒンジ２を中心に回動自在に開閉できる構造になっている。図１は筐体を閉じた状態、また、図２は閉じた状態を示している。ここで、上部及び下部筐体１ａ〜ｂのヒンジ側端は、下部筐体１ｂに接続されたオプションユニット３に覆い被さらないように切り欠き部が設けられている。筐体は、一部を持って操作しやすいように長細い形状をしている。
【０００９】
オプションユニット３は、下部筐体１ｂの装着部４に着脱可能に保持され、例えば、液晶表示装置、ＧＰＳ（Ｇｌｏｂａｌ　Ｐｏｓｉｔｉｏｎｉｎｇ　Ｓｙｓｔｅｍ）受信機、スキャナ、各種ポインティングデバイス、メモリ、又はそれらの組み合わせ等、携帯通信端末本体に内蔵されていない付加的な機能を実行する回路を備えたユニットである。
また、下部筐体１ｂは、数字又は文字の入力を受け付ける数字キー５、及び、複数の機能が選択的に割り付けられるファンクションキー９〜１０等の入力デバイスも有する。数字キー５は、この発明の操作部の一例であるが、携帯情報端末の文字を入力するキーボード、他の携帯通信端末のポインティングデバイス等、入力時にユーザ側に向く筐体前面に設けられたデータの入力装置であればどのようなものでもかまわない。好ましくは、ユーザがデータ入力時に筐体を保持する部分に設けられた入力装置があれば、使いやすさの効果は高くなる。ファンクションキーの一例として、この実施の形態では、一般にソフトキーと呼ばれるキー９と複数の方向の入力を受け付ける方向キー１０、方向キーの中心に設けられた決定キーとを使用している。なお、数字キー５下方にあるいくつかのキーをファンクションキーとして、複数の機能が割り付けられるようにしてもよい。
なお、ここで筐体の上部、下部は、それぞれユーザがデータの入力をする際に上となる部分と下となる部分を指す。
【００１０】
上部筐体１ａは、携帯電話機内部で生成した文字、グラフィック情報、又はネットワークを介して外部から取得した情報等を表示する主表示装置６を前面部に有する。主表示装置６としては、例えば、液晶表示デバイスやＥＬ（Ｅｌｅｃｔｒｏ　Ｌｕｍｉｎｅｓｃｅｎｃｅ）ディスプレイ等、文字やグラフィック情報を表示できるものであればどのようなものを使用してもよい。
さらに、通話相手の音声を出力するスピーカ７は上部筐体１ａの前面上部に位置し、通話者の音声を電気信号に変換するマイク８は下部筐体１ｂの前面下部に位置する。スピーカ７は、音声通話時に耳に押し当てて使用する場合の他、より大きな音量で音楽を出力することも可能である。さらに、テレビ電話として使用する場合には、通話相手の音声を耳に押し当てて使用する場合より、大きな音量で再生することもできる。また、筐体自体もしくは筐体外部に他のスピーカを有する場合には、音声通話のみに使用されるようにしてもよい。
【００１１】
また、静止画像又は／及び動画像を撮影するカメラ１１は、上部筐体１ａの背面に配置されるが、上部筐体１ａ前面部或いは側面部、下部筐体１ｂ前面、側面、或いは背面部、又は、ヒンジ２に設けられてもよい。
【００１２】
次に、オプションユニット３の装着部４について、図３を用いて説明する。図３は、装着部４の部分拡大図である。装着部４は、オプションユニット３を装着可能なように下部筐体１ｂの前面から背面に貫通する切り欠き部を構成するように設けられる。そして、装着部４は、オプションユニット３の装着を案内すると共に保持するガイドレール４ａと、電気信号を伝達する端子を複数備え、オプションユニット３と後述するオプションユニット・インタフェース３０を電気的に接続する端子部４ｂを備える。
オプションユニット３は、ガイドレール４ａに対応したガイド溝３ａを備え、さらにオプションユニット３内の回路と接続され、装着部の端子部４ｂに接続されることによりオプションユニット３の内部回路と携帯電話機の内部回路間の通信を中継する端子部３ａを備える。アーム部はその中間部にヒンジを有し、上部筐体１ａのヒンジを介してアーム部１ｄと接続する。
【００１３】
オプションユニット３を装着する際には、切り欠き部の両端にある下部筐体１ｂのアーム部１ｃに沿って、オプションユニット３を装着する。アーム部１ｃに設けられたガイドレール４ａが、オプションユニット３を正しい位置に案内するため、ユーザが端子部３ｂ、４ｂ同士の位置合わせを正確に行わなくとも、ユニットの装着が容易に行える。
【００１４】
この実施の形態の携帯通信端末によれば、携帯通信端末の筐体前面に設けられた操作部（図２のＡ）と、この操作部の上部側（図２のＢ）にオプションユニット３を着脱可能に設けたため、図４に示すように、使用時にオプションユニット３がユーザの手に隠れることが少なく、非常に使いやすいという効果がある。
また、オプションユニット３を筐体を開いたときの筐体中間部（主表示装置６と操作部との間）に接続した。そのため、オプションユニットを筐体の上端に接続し、筐体上部が重くなる場合と比べ、操作部付近を保持したときの安定性が高いという効果がある。
【００１５】
例えば、オプションユニット３として表示装置を接続した場合、ユーザが操作する際には、従来の装置のように、携帯通信端末を持った手に邪魔されずに表示内容を閲覧することができる。
また、オプションユニット３を操作部に隣接して接続可能にしたため、ユーザが触れて操作するオプションユニット３（例えば、ポインティングデバイスや指紋読み取り用のスキャナ）を接続した場合に使いやすい。すなわち、図５のように、数字キー５、方向キー１０を操作するポジションから指をずらすだけでオプションユニット３を操作できるため、ユーザは必要に応じて片手でオプションユニット３及び他のキーの操作を行うことができ、非常に使いやすいインタフェースを提供することができる。ここで、”隣接”とは、ユーザが筐体を保持しているとき、操作部とオプションユニット３とを保持した手で同時に操作できる程度の距離関係をいう。
【００１６】
また、オプションユニット３が、図４のように２つ折りの携帯通信端末のヒンジ２の回転軸の軸線上（一点鎖線で示す）に装着されるため、特開２０００−６９１８０号公報に記載された携帯電話のように、筐体下部からのはみ出し部分（脱着式カメラ）が大きくならないため、筐体保持や携帯通信端末の操作がしやすいという効果がある。なお、オプションユニット３がヒンジ２近傍で下部筐体１ｂの上方や横方向にはみ出す分には、筐体下部からはみ出す場合と比べてユーザの筐体保持の邪魔にはならない。
なお、ヒンジ近傍とは、オプションユニット３がヒンジ２の軸線上にかかる場合のみならず、下部筐体１ｂに設けられた操作部上方から下部筐体１ｂの上端までの領域をいう。
【００１７】
また、オプションユニット３は、ヒンジ近傍であって筐体を閉じた状態でも開いた状態でも見える位置（外部に現れる位置）に装着されるため、筐体の開閉にかかわらずオプションユニット３を使用することができるという効果がある。この実施の形態では、上部筐体１ａのヒンジ側端であって、筐体を閉じた状態と開いた状態でオプションユニット３に重なる位置に切り欠き部を設けた。
【００１８】
また、オプションユニット３が、図４の破線で囲ったヒンジ２の軸線に沿った投射領域から上下方向、上方向又は下方向にはみ出すように接続されるため、従来デッドスペースとなっていたヒンジ２部近傍をオプションユニット３として有効に使用することができるとともに、ヒンジ２にのみにオプションユニット３を接続する場合と比べ、より広いスペースをオプションユニット３用に確保することができる。
【００１９】
また、装着部４はアーム部１ｃを有し、切り欠き部が筐体前面から筐体背面に貫通するため、より厚みのあるオプションユニット３を装着することができ、また、携帯通信端末の筐体とオプションユニット３との一体感を出すことができる。
【００２０】
また、オプションユニット３として、開いても閉じても外部に現れる位置にＧＰＳユニットを装着することにより、筐体の開閉状態にかかわらず電波を受信することができる。
また、オプションユニット３として、開いても閉じても外部に現れる位置にスピーカユニットを装着することにより、筐体の開閉状態にかかわらずスピーカを使用することができる。
【００２１】
＊オプションユニット装着時の動作
次に、この実施の形態のオプションユニット３装着時の動作について説明する。
図６は、この実施の形態の携帯通信端末の詳細を示す機能ブロック図である。それぞれのブロックについては、公知の回路や素子を使用することができる。
ＭＰＵ２１（Ｍｉｃｒｏ　Ｐｒｏｃｅｓｓｉｎｇ　Ｕｎｉｔ）は、各デバイスの動作を制御する機能を持ち、バスを介してビデオ回路２２、Ｉ／Ｏ（Ｉｎｐｕｔ　ａｎｄ　Ｏｕｔｐｕｔ）コントローラ２３、メモリ２９、送受信回路２６、音声デコーダ／エンコーダ２８に接続されている。ＭＰＵ２１は携帯通信端末の動作を制御する制御装置の一例であり、他の制御手段やプロセッサを使用することもできる。ビデオ回路２２は、図示しないビデオメモリを備え、主表示装置６を電気的に駆動する。ビデオ回路２２は主表示装置６を制御することができる。主表示装置６は、ビデオ回路２２からの制御信号に従って文字、静止画像、動画などの映像を表示する。
【００２２】
Ｉ／Ｏコントローラ２３は、各種デバイスからの入力信号をＭＰＵ２１へ送信し、またＭＰＵ２１から各種デバイスへの出力信号を送信する入出力処理を行うコントローラである。開閉センサ２５は、筐体の開閉を検知する接触スイッチ、光センサ等のセンサである。例えば、筐体が閉じた場合に、下部筐体１ｂに設けられたスイッチが上部筐体１ａによって押され開閉を検知するようにすることができる。複数の操作ボタンは、それぞれ対応する機能や文字が割り付けられており、それぞれ入力デバイスとして使用される。操作ボタンインタフェース２４は、どの操作ボタンが操作されたかを検出する。ここで、操作ボタンには、数字キー５、ファンクションキー９、１０が含まれる。
【００２３】
送受信回路２６は、アンテナ２７を介した音声やデータの通信を行う回路である。アンテナ２７は、この実施の形態では、下部筐体１ｂ内に内蔵されているが、筐体外部に設けてもよい。送受信回路２６は様々な種類の回路が知られており、既に広く普及しているＰＤＣ（Ｐｅｒｓｏｎａｌ　Ｄｅｇｉｔａｌ　Ｃｅｌｌｕｌａｒ）、ＧＳＭ（Ｇｌｏｂａｌ　Ｓｙｓｔｅｍ　ｆｏｒ　Ｍｏｂｉｌｅ　Ｃｏｍｍｕｎｉｃａｔｉｏｎｓ）、ＣＤＭＡ（Ｃｏｄｅ　Ｄｉｖｉｓｉｏｎ　Ｍｕｌｔｉｐｌｅ　Ａｃｃｅｓｓ）方式、或いは、次世代の通信方式、Ｗ−ＣＤＭＡ（Ｗｉｄｅ−ｂａｎｄ　Ｃｏｄｅ　Ｄｉｖｉｓｉｏｎ　Ｍｕｌｔｉｐｌｅ　Ａｃｃｅｓｓ）、ｃｄｍａ２０００方式等の通信方式用の送受信回路を使用することができる。音声デコーダ／エンコーダ２８は、マイク８により取得された音声信号を符号化するエンコーダと、送受信回路２６で受信した符号化されたデータを音声信号にデコードするデコーダとを有する回路である。音声の符号化方式としては、ＣＥＬＰ（Ｃｏｄｅ　Ｅｘｉｔｅｄ　Ｌｉｎｅａｒ　Ｐｒｅｄｉｃｔｉｏｎ）方式の符号化方式が広く知られている。音声デコーダ／エンコーダ２８でデコードされた音声信号は、スピーカ７を介して再生される。なお、スピーカ７は、音声信号に限らず、図示しないシンセサイザ回路で生成された電気信号によって音楽、効果音を再生することができる。メモリ２９は各種プログラム及びデータを記憶する。メモリの種類（揮発性メモリ、不揮発性メモリ等）は、データの種類に応じて適切なものを使用する。オプションユニット・インタフェース３０は、オプションユニット３からの信号を受信するとともに、オプションユニット３への制御信号を送信する。
【００２４】
なお、上述の回路構成は一例であり、公知のいかなる携帯電話や携帯型で通信機能を有するコンピュータの回路や素子を使用してもよい。例えば、複数のブロックを１つのＩＣ（Ｉｎｔｅｇｒａｔｅｄ　Ｃｉｒｃｕｉｔ）に統合することにより、小型化を図ることができる。
【００２５】
次に、図７を用いて、オプションユニット３装着時の動作について具体例を説明する。図７は、主表示装置６の表示内容の移り変わりを示している。
まず、図７（ａ）に示すように携帯電話機が待ち受け状態であるとき、ユーザが方向キー１０を押下すると、この方向キー１０に割り当てられた機能が以下のように自動的に選択され呼び出される。
（１）ＧＰＳユニット
ＧＰＳユニットが接続している場合には、図７（ｂ）に示すようにＧＰＳユニットに関連づけられたナビゲーションのアプリケーションプログラムが実行され、そのソフトウェアは主表示装置６に実行結果を表示する。
（２）スキャナユニット
指紋読み取り用のスキャナユニットが接続している場合には、図７（ｃ）に示すようにスキャナユニットに関連づけられた指紋読み取りのアプリケーションプログラムが実行され、実行結果が主表示装置６に表示される。
（３）スピーカユニット
スピーカユニットが接続している場合には、図７（ｄ）に示すようにスピーカユニットに関連づけられた音楽再生のアプリケーションプログラムが実行され、実行結果が主表示装置６に表示される。
以上のように、１つのボタンを押下した場合でも、携帯通信端末が接続しているオプションユニット３の種別に応じたアプリケーションプログラムを自動的に選択するため、ユーザにとって操作が簡単なインタフェースを提供することができる。
【００２６】
次に、ＭＰＵ２１が実行するソフトウェアの詳細について図８及び図９を参照して説明する。
まず、ユーザがオプションユニット３を装着部４に装着すると（図８のステップＳ１０）、ＭＰＵ２１は、オプションユニット・インタフェース３０から送られる端子部４ｂの信号に基づいて、オプションユニット３が装着されたか否かを検知する（ステップＳ１１）。もし、装着されていないと判断した場合は、ＭＰＵ２１は他の処理を行うと共に、定期的にこのステップＳ１１からの処理を実行する。
【００２７】
一方、オプションユニット３が装着されていると判断した場合には、ＭＰＵ２１は、オプションユニット３から送信される種別信号に基づいて、オプションユニット３の種類を認識する（ステップＳ１２）。
次に、ＭＰＵ２１は、認識結果に基づき、種別に対応したアプリケーションプログラムをファンクションキー（この例では、方向キー１０）へ割り当てる（ステップＳ１３）。例えば、ファンクションキーと対応するプログラムのアドレスとを対応させてメモリ２９に記憶し、割り当てを変更する場合には、ＭＰＵ２１はアドレスを新しいプログラムのアドレスに書き換える。
【００２８】
割り当て変更処理が終了した後、ＭＰＵ２１は画面表示切替など他の処理の実行に戻る（ステップＳ１４）。
ＭＰＵ２１は、この図８のオプションユニット３検出及び機能割り当て変更処理を、他の処理に並列に定期的に実行してもよいし、また、ユニット装着時に割り込み信号を発生させて実行するようにしてもよい。
【００２９】
次に、図９を用いて、ユーザがファンクションキーを押下した際の処理を説明する。
ＭＰＵ２１は、ユーザによる操作が行われておらず、電話の着信を待っている状態であるとき待ち受け画面の表示を行う（ステップＳ２１）。なお、このステップＳで実行される処理は、待ち受け画面表示以外の他の処理（例えば、メニュー表示等）であってもよい。
続いて、ＭＰＵ２１は、操作ボタンインタフェース２４からの信号に基づいて、ファンクションキー（この例では、方向キー１０）が押されたかを判定する（ステップＳ２２）。ここで、押されていない場合にはステップＳ２１の処理に戻る。
【００３０】
一方、ファンクションキーが押されている場合には、ＭＰＵ２１は、上述信号に基づいて押されたファンクションキーの種類を判別する（ステップＳ２３）。ここで、例えば、方向キー１０の中心に配置された決定キーが押された場合には、ＭＰＵ２１は主表示装置６に後述するメニューを表示する（ステップＳ２８）。押されたキーが方向キー１０のダウンキーの場合には、ＭＰＵ２１はそのキーに割り付けられたプログラムを判別し（ステップＳ２４）、対応するプログラム（ステップＳ２５〜Ｓ２７）の処理を実行する。例えば、メモリ２９上にダウンキーに対応して記憶されたアドレスのルーチンを実行することにより、上述（１）〜（３）のように、ナビゲーション、指紋認証、又は音楽再生のプログラムを実行する。そして、ＭＰＵ２１は実行結果を図７に示すように主表示装置６に表示する。
【００３１】
以上のように、この実施の形態のオプションユニット装着時の動作によれば、携帯通信端末が自動的にオプションユニット３の種類を判別し、自動的にファンクションキーの割り当てを変更するため、ユーザに使いやすいインタフェースを提供することができる。
【００３２】
実施の形態２．
次に、装着されたオプションユニット３の種類に応じて、自動的にソフトキーに対応するアイコンを変更する実施の形態について説明する。
図１０は、この実施の形態における主表示装置６の表示内容の移り変わりを示している。まず、例えば、主表示装置６に待ち受け画面が表示されており、かつ、オプションユニット３が装着されていない場合には、ＭＰＵ２１は、右側のソフトキー９に対応するアイコン６ａを空白にする。なお、他の機能を割り当てたり、アイコン６ａ自体を表示しないようにしてもよい。また、図１０（ａ）の画面は待ち受け画面以外であってもよい。
【００３３】
この状態から、ユーザがオプションユニット３を装着すると、ＭＰＵ２１が図８で説明したようにオプションユニット３の種類の検知及びソフトキー９への機能の割り当てを実行する。
このとき、ＭＰＵ２１はソフトキー９に割り当てられた機能に応じて、画面表示を図１０の（ｂ）又は（ｃ）のように変更する（図８のステップＳ１４）。例えば、ＧＰＳユニットが装着された場合には、図１０（ｂ）に示すように、ＭＰＵ２１はアイコン６ａを「ナビ」と表示する。一方、スピーカユニットが装着された場合には、ＭＰＵ２１はアイコン６ａを音楽再生プログラムを象徴する「♪」に変更する。
【００３４】
アイコン６ａの変更は、以下のように行う。メモリ２９は、予め複数のアイコン画像と複数のファンクションキー（この例ではソフトキー９）それぞれに対応してアイコン画像の記憶されているアドレスとアプリケーションプログラムのアドレスを記憶する。ＭＰＵ２１は、検知したオプションユニット３の種別に応じて、アイコン画像のアドレスとプログラムのアドレスとを変更する（図８のステップＳ１３）。
例えば、図１１はメモリ２９の記憶内容を示したもので、記憶領域２５ａは右のソフトキー９に対応するアイコン画像のアドレスとプログラムのアドレスを格納している。同様に、記憶領域２５ｂは中央の決定キー、２５ｃは左のソフトキーに対応するアドレスを格納している。
【００３５】
また、キーを押下したときの動作は、図９で説明した通りであり、ＭＰＵ２１は、ダウンキーの代りにソフトキー９を識別して対応するプログラムを実行する（ステップＳ２３〜Ｓ２７）。なお、ダウンキーとソフトキーの両方が使用できるように処理フローを変更できることは言うまでもない。
【００３６】
この実施の形態の携帯通信端末では、携帯通信端末の制御装置（ＭＰＵ２１）が接続されたオプションユニット３の種別を自動検知し、検知結果に応じてソフトキー９の機能割り当てを変更する。そして、変更された割り当てを主表示装置６に表示するため、ユーザは機能割り当ての変更結果を容易に知ることができるため、割り当てを記憶していなくとも迷わずにソフトキー９を使用することができる。すなわち、ユーザに対して使いやすいインタフェースを提供することができる。
【００３７】
実施の形態３．
次に、携帯通信端末がオプションユニット３の種別に応じて、自動的にメニューの内容を更新する実施の形態について説明する。
図１２は、主表示装置６の表示内容の移り変わりについて示している。例えば、図１２（ａ）のように、待ち受け画面が表示されている状態でユーザがメニューボタン（例えば、決定キー）を押下すると、携帯通信端末は、ボタンが押されたことを検知する。そして、携帯通信端末は、接続されたオプションユニット３の種別に応じて変更されたメニューを主表示装置６に表示する。例えば、ＧＰＳユニットが接続されている場合には、図１２（ｂ）のように、４番目の選択肢に「ナビゲーション」の選択肢を表示する。また、スピーカユニットが接続されている場合には、図１２（ｃ）のように、「音楽再生／録音」の選択肢を表示する。これらの選択肢は、他のメニューの選択肢と同様にそれぞれ対応するプログラムに関連付けられており、選択肢を選択することによってそのプログラムが実行を開始する。
【００３８】
図１３は、ＭＰＵ２１が実行するプログラムのフローチャートである。図１３において、図８と同一の符号は同一又は相当の部分を表しているため、以下、この実施の形態特有の処理を中心に説明する。
まず、携帯通信端末がオプションユニット３の接続を検知し、オプションユニット３の種類を認識する（ステップＳ１０〜Ｓ１２）。次に、ＭＰＵ２１は認識したオプションユニット３の種類を判別し、種類に応じた処理を行う（ステップＳ３１）。ステップＳ３２〜Ｓ３４はオプションユニット３に対応したメニューを作成する処理であり、例えば、オプションユニット３がないと判断された場合には、ＭＰＵ２１はメニューからオプションユニット３の選択肢を削除する。また、オプションユニット３がＧＰＳユニットである場合には、ＭＰＵ２１はメニューに「ナビゲーション」の選択肢を作成する（ステップＳ３３）。一方、オプションユニット３がスピーカユニットである場合には、ＭＰＵ２１はメニューに「音楽再生／録音」の選択肢を作成する（ステップＳ３４）。メニューの作成処理が終了すると、ＭＰＵ２１は他の処理に戻る（ステップＳ３５）。
【００３９】
メニューの更新の具体例は、公知のメニュー表示やその作成技術を使用することができるが、例えば、以下のように行うことができる。
図１４は、メモリ２９の記憶内容を示したものであり、２５ｄ〜２５ｇはそれぞれ第１番目〜第４目までのメニューの選択肢に対応した記憶領域である。各記憶領域は、メニュー画面に表示する選択肢名と、選択肢に対応するプログラムが格納されているメモリ２９上のアドレスとを記憶している。ここで、記憶領域２５ｄ〜２５ｆがオプションユニット３以外の他の一般的処理に対応し、記憶領域２５ｇが、オプションユニット３に対応しているとすると、ＭＰＵ２１は、上述図１３のステップＳ３２〜Ｓ３４に示した処理で、記憶領域２５ｇの選択肢名及びアドレスの内容を種別に応じて変更する。なお、オプションユニット３が切り替わるたびに、オプションユニット３に応じたプログラムを同じアドレスに上書きする場合には、アドレスの変更は行わなくともよい。
【００４０】
上述のように変更されたメニューは、図９で説明したように表示され実行される。すなわち、ＭＰＵ２１が押下されたファンクションキーの種別を判別した結果（ステップＳ２３）、押下されたキーが決定キーであった場合、ＭＰＵ２１は、メニューを表示し、ユーザが選択した処理を実行する（ステップＳ２８）。すなわち、ＭＰＵ２１はメニュー構成を示すメモリ２９の記憶内容（図１４参照）に従って、ビデオ回路２２のビデオＲＡＭ（Ｒａｎｄｏｍ　Ａｃｃｅｓｓ　Ｍｅｍｏｒｙ）の内容を書き換える。この処理によりビデオ回路２２及び主表示装置６はメニューを表示する。そして、ＭＰＵ２１がユーザが選択した選択肢を検出し、選択肢に対応した処理を実行する。
【００４１】
以上のように、この実施の形態の携帯通信端末では、接続されたオプションユニット３の種別を認識し、認識結果に応じてメニューの選択肢及び対応する処理を変更する。そのため、考えうる全てのオプションユニット３の選択肢をメニューに表示する必要が無く、ユーザは有効なオプションユニット３に対応した選択肢を容易に選択することができる。
【００４２】
実施の形態４．
続いて、オプションユニット３として副表示装置が接続された場合に、携帯通信端末が自動的にファンクションキーに対応するアイコンの表示位置を変更する実施の形態について説明する。
【００４３】
図１５は、副表示装置３１の脱着に伴い、アイコンの位置を主表示装置６と副表示装置３１間で変更する例を示している。
まず、図１５（ａ）に示すように副表示装置３１が接続されていない状態では、主表示装置６がソフトキー９に対応するアイコン６ａを表示している。一方、図１５（ｂ）に示すように副表示装置３１が接続されている場合には、携帯通信端末は副表示装置３１が接続されていることを検知し、自動的にアイコン６ａを副表示装置３１側に表示する。これにより、ユーザは複雑な操作無く、主副表示装置の両者を有効に活用することができる。
【００４４】
図１６は、上述の切替処理を示しており、一部の処理は上述の図８と同様であるため、異なる点を中心に説明する。
ＭＰＵ２１は、オプションユニット３の接続状態と種類を検出すると（ステップＳ１０〜Ｓ１２）、検出した種類が副表示装置３１か否かに応じて、主表示装置６並びに副表示装置３１の表示内容を変更する（ステップＳ４１〜Ｓ４３）。副表示装置３１以外のオプションユニット３が接続された場合には、ＭＰＵ２１は、ソフトキーに対応するアイコン６ａを主表示装置６に表示する（ステップＳ４２）。一方、副表示装置３１が接続された場合には、ＭＰＵ２１は副表示装置３１にアイコン６ａを表示すると共に、主表示装置６の表示内容も変更する（ステップＳ４３）。
そして、アイコンの表示切替処理が終了すると、ＭＰＵ２１は他の処理に戻る（ステップＳ４４）。
【００４５】
以上のように、この実施の形態の携帯通信端末は、副表示装置３１の接続状態に応じて、アイコン６ａの表示装置を主表示装置６又は副表示装置３１に切り替える。そのため、ユーザは主表示装置６のみでもファンクションキーのアイコンを参照して使用でき、さらに、副表示装置３１を接続した際には、表示切替を自ら行わなくとも、副表示装置３１に自動的にアイコンが移動させることができる。この実施の形態の携帯携帯通信端末は、ユーザにとって使いやすいインタフェースを提供することができる。
【００４６】
なお、副表示装置３１が主表示装置６とボタン等の操作部との間に接続される携帯通信端末では、以下のような効果もある。複数のアイコン６ｃのそれぞれは、ファンクションキーの配列や位置に対応して表示される。従って、アイコン６ｃとファンクションキーとは位置的に近いほうが、ユーザにとって感覚的に機能とキーとの対応を取りやすく、使いやすい。副表示装置３１が接続された場合でも、主表示装置６がアイコン６ａを表示するケースでは、アイコン６ａとファンクションキーとの距離があいたままになってしまう。一方、この実施の形態のように主表示装置６とファンクションキーとの間に副表示装置３１を接続した場合には、よりファンクションキーに近い副表示装置３１にアイコン６ｃを表示することができ、使いやすいインタフェースとしての効果をより向上することができる。
【００４７】
また、副表示装置３１が接続されているとき、ＭＰＵ２１は図１７のように、通常のアイコン表示数より多いアイコンを副表示装置３１に表示するようにしてもよい。このとき、各アイコンはそれぞれ対応する機能及びボタンに関連付けされていることはいうまでもない。さらに、ＭＰＵ２１は、ユーザが特定のボタンを押下したことを検知し、この場合に図１７のように通常より多いアイコンを表示する制御を行うこともできる。
【００４８】
実施の形態５．
オプションユニット３は、上述の例に限らず様々な機能のオプションユニット３を装着できるため、以下にその例を説明する。
図１８（ａ）は、オプションユニット３としてメモリ３２を装着した例を示している。メモリは、スロット状の挿入口を持つアダプタ３２ａを介して、コネクタ４ｂと接続する。
図１８（ｂ）は、蓋付きのアダプタ３２ｂにメモリ３２を装着した例を示す。
図１８（ｃ）は、液晶表示素子等の副表示装置３３ａと指紋等の画像を読み取るスキャナとを有する複合オプションユニット３３の装着例を示す。
図１８（ｄ）は、スティック状のポインティングデバイス３４を装着した例を示し、上部筐体１ａは、背面上に補助ディスプレイ５０を有する。
【００４９】
図１８（ｅ）は、副表示装置としてＥＬディスプレイを装着した例である。この携帯通信端末の下部筐体１ｂは、１つのヒンジ２で上部筐体１ａを回動自在に保持する。そして、オプションユニット３はヒンジ２の回転軸の軸線上を跨るように装着される。他の例のように、複数のヒンジ２を備えそれらのヒンジ２間にオプションユニット３を装着した場合と比べ、片ヒンジを使用した携帯通信端末は、片方のヒンジがない分オプションユニット３を大きくすることができるメリットがある。そのため、この携帯通信端末は、大きな表示が欲しい表示装置、回路を小さくすることが難しいような様々なオプションユニットを接続したい場合に特に適している。
また、図１８（ｅ）の携帯通信端末は、上部筐体１ａにはオプションユニット３に対応した切り欠き部を有するが、一方、下部筐体１ｂは筐体前面から筐体背面に貫通する切り欠き部を備えていない例を表している。なお、片ヒンジの場合であっても、筐体が装着部に対応して前記筐体前面から筐体背面に貫通する切り欠き部を備える構成を採用することもできる。
図１８（ｆ）は、副表示装置として液晶表示装置３６を装着した例を示している。この液晶表示装置３６は、ユーザに見やすいように筐体に対して斜めに隆起している。
【００５０】
なお、オプションユニット３として、装着できるユニットは以上のものに限定されず、携帯通信端末本体の機能を補う装置であれば、どのようなものも使用することができる。例えば、タブレット、カメラ、ゲーム用の入力デバイス、表示装置及び回転スクロールキーの複合ユニット、無線ＬＡＮ（Ｌｏｃａｌ　Ａｒｉａ　Ｎｅｔｗｏｒｋ）アダプタ、他の近距離通信アダプタもその一例である。
【００５１】
また、携帯通信端末とオプションユニット３を接続する方法は、お互いの端子を直接接続する場合に限らず、信号を送受信できるように接続できるものであれば、どのような接続手段を用いてもよい。
例えば、図１９は接続手段として赤外線（ＩＲ）通信を用いた装着部の部分拡大図である。携帯通信端末には赤外線通信受信機４ｃが設けられており、図６のオプションユニット・インタフェース３０と接続されている。同様に、オプションユニット３は赤外線通信送信機を有し、赤外線通信受信機４ｃと赤外線を用いた通信を行う。赤外線通信の送信機若しくは受信機は、携帯電話機やパーソナルコンピュータ等で広く使用されているものを使用することができる。また、どちらの機器が送信機／受信機又はその両方を備えるかは、携帯通信端末−オプションユニット３間の通信の必要性に応じて選ぶことができる。
【００５２】
また、ブルートゥース（商標）や無線ＬＡＮ等の無線技術を使用することもできる。無線通信を使用した場合には、携帯通信端末−オプションユニット３間の物理的な位置関係に限らず、ＭＰＵ２１は図８等のステップＳ１１において、通信が確立されているかどうかでオプションユニット３が接続されているかを判断することができる。この場合、複数のオプションユニット３を同時に接続し、上述実施の形態１〜４で説明した処理を複数のオプションユニット３に対応して実行することもできる。
また、無線通信を使用した場合において、オプションユニット３を装着する装着部を筐体に設けることは必須ではない。
【００５３】
実施の形態６．
オプションユニット３は、二つ折りの筐体以外にも図２０に示すようないわゆるストレートタイプの筐体の携帯通信端末にも使用することができる。
この携帯通信端末は、主表示装置６と操作部（ソフトキー、カーソルキー、数字キー等）の間に装着部４を備える。このようなストレートタイプの携帯通信端末であっても、上述実施の形態１〜５で説明したような、オプションユニット３やオプションユニット３の接続に基づく処理を使用することができる。
また、無線通信を用いて複数の筐体間を接続する場合には、筐体は１つである必要はなく、セパレートタイプの携帯通信端末とすることもできる。オプションユニット３に表示装置がある場合には、携帯通信端末自体に表示装置を設けるかどうかは、必要に応じて任意に決めることができる。
【００５４】
上述実施の形態１〜６の説明において、各図の同一符号は同一又は相当の部分を表している。
また、実施の形態１〜４で、フローチャートを用いて説明した動作は、図１で説明したオプションユニット３の装着位置に関係なく実行することができる。例えば、筐体下部や背面にオプションユニットを装着するようにしてもよい。
また、各実施の形態は、それぞれ組み合わせて実施することも、他の実施の形態とは独立して実施することもできる。
【００５５】
【発明の効果】
この発明は、ユーザに使いやすいインタフェースを提供することができる。
【００５６】
【図面の簡単な説明】
【図１】この発明の実施の形態１における携帯通信端末の斜視図である。
【図２】この発明の実施の形態１における携帯通信端末の斜視図である。
【図３】この発明の実施の形態１におけるオプション取り付け部の部分斜視図である。
【図４】この発明の実施の形態１における携帯通信端末使用時の斜視図である。
【図５】この発明の実施の形態１における携帯通信端末使用時の斜視図である。
【図６】この発明の実施の形態１における携帯通信端末の機能ブロック図である。
【図７】この発明の実施の形態１における画面表示を説明する図である。
【図８】この発明の実施の形態１又は２における自動機能割り当ての処理を説明するフローチャートである。
【図９】この発明の実施の形態１又は２における機能切替の処理を説明するフローチャートである。
【図１０】この発明の実施の形態２における画面表示を説明する図である。
【図１１】この発明の実施の形態２におけるメモリの記憶内容を説明する図である。
【図１２】この発明の実施の形態３における画面表示を説明する図である。
【図１３】この発明の実施の形態３におけるメニュー変更処理を示すフローチャートである。
【図１４】この発明の実施の形態３におけるメモリの記憶内容を説明する図である。
【図１５】この発明の実施の形態４における画面表示を説明する図である。
【図１６】この発明の実施の形態４における画面表示切替処理を示すフローチャートである。
【図１７】この発明の実施の形態４における副表示部の表示内容を示す図である。
【図１８】この発明の実施の形態１〜４における携帯通信端末を示す斜視図である。
【図１９】この発明の実施の形態５におけるオプション取り付け部の部分斜視図である。
【図２０】この発明の実施の形態６における携帯通信端末の前面図である。
【図２１】この発明の実施の形態６におけるオプションユニットの斜視図である。
【図２２】従来の技術における携帯通信端末を説明する前面図である。
【符号の説明】
１ａ　上部筐体、　１ｂ　下部筐体、　２　ヒンジ、　３オプションユニット、　４　装着部、　５　数字キー、　６　主表示装置、　７　スピーカ、　８　マイク、　９　ソフトキー、　１０　方向キー、　２１　ＭＰＵ、　２２　ビデオ回路、　２３　Ｉ／Ｏコントローラ、　２４　操作ボタンインタフェース、　２５　開閉センサ、　２６　送受信回路、　２７　アンテナ、　２８　音声デコーダ／エンコーダ、　２９　メモリ、　オプションユニット・インタフェース
【図１】
2004112392.tif 000003
【図２】
2004112392.tif 000004
【図３】
2004112392.tif 000005
【図４】
2004112392.tif 000006
【図５】
2004112392.tif 000007
【図６】
2004112392.tif 000008
【図７】
2004112392.tif 000009
【図８】
2004112392.tif 000010
【図９】
2004112392.tif 000011
【図１０】
2004112392.tif 000012
【図１１】
2004112392.tif 000013
【図１２】
2004112392.tif 000014
【図１３】
2004112392.tif 000015
【図１４】
2004112392.tif 000016
【図１５】
2004112392.tif 000017
【図１６】
2004112392.tif 000018
【図１７】
2004112392.tif 000019
【図１８】
2004112392.tif 000020
【図１９】
2004112392.tif 000021
【図２０】
2004112392.tif 000022
【図２１】
2004112392.tif 000023
【図２２】
2004112392.tif 000024